(57)【特許請求の範囲】
【請求項１】
中空円筒形状をなして長手方向が水平方向に沿って配置されてスラッジを含む液体を貯留可能なタンク本体と、
前記タンク本体の上部からスラッジを含む液体を供給可能な供給部と、
前記タンク本体の上部からスラッジを含む液体を吸引排出可能な排出部と、
前記タンク本体内で底部方向に向かってガスを噴出可能なガス噴出装置と、
前記ガス噴出装置から噴出されたガスの流れを規制することでスラッジを含む液体の上昇流を生成するガイド部材と、
を備え、
前記ガイド部材は、前記タンク本体の底部から所定隙間をもって略水平方向に沿って配置され、前記ガイド部材と前記タンク本体の底部との間に前記ガス噴出装置によるガス噴出口が配置され、前記ガス噴出口が前記ガイド部材に対して前記タンク本体の周方向の一方側にずれて配置され、前記ガイド部材における前記タンク本体の周方向の端部側に流通部が設けられる、
ことを特徴とするスラッジ貯蔵タンク。
【請求項２】
前記ガイド部材は、前記タンク本体の底部に沿った湾曲形状をなすことを特徴とする請求項１に記載のスラッジ貯蔵タンク。
【発明の詳細な説明】
【技術分野】
【０００１】
本発明は、汚泥など微細なスラッジを含んだ液体を貯蔵するためのスラッジ貯蔵タンクに関するものである。
【背景技術】
【０００２】
スラッジを含んだ液体を貯蔵するものとしてスラッジ貯蔵タンクがある。このスラッジ貯蔵タンクは、発生した粉体などを水などと共に内部に一時的に貯留し、必要に応じて排出して処理するものである。このようなスラッジ貯蔵タンクでは、長期間貯留すると、水に対してスラッジが沈降して固着してしまうことから、タンクの内部を攪拌して流動性を確保する必要がある。そのため、従来のスラッジ貯蔵タンクは、内部に空気を送給してバブリングすることで、タンクの内部を攪拌して流動性を確保していた。
【０００３】
このようなスラッジ貯蔵タンクとしては、例えば、下記特許文献１に記載されたものがある。この特許文献１に記載された放射性物質で汚染されたスラッジを移送する方法および装置は、貯蔵タンク内部で堆積したスラッジ層の上に存在する上澄み水に対して空気を吹き込んで局部的に撹拌することにより流動性のスラッジ液を形成し、このスラッジ液をスラッジ移送ポンプにより貯蔵タンクから吸い出して移送タンクに移送し、移送タンクにおいて生じた上澄み水を貯蔵タンクに返還して噴出させ、スラッジ堆積層に向かって勢いよく吹き当てることにより破砕するものである。
【先行技術文献】
【特許文献】
【０００４】
【特許文献１】特開２００８−０９６１１６号公報
【発明の概要】
【発明が解決しようとする課題】
【０００５】
従来のスラッジ貯蔵タンクでは、空気や水を内部に供給することで、スラッジを攪拌させている。しかし、スラッジを含む液体は、粘性が高いものであることから、十分な流動性を確保することが困難である。そして、スラッジがタンクの底部に固着してしまうと、スラッジの材質によってはタンクを腐食させてしまうおそれがある。
【０００６】
本発明は、上述した課題を解決するものであり、内部のスラッジの流動性を確保してこのスラッジの沈降による固着を抑制可能とするスラッジ貯蔵タンクを提供することを目的とする。
【課題を解決するための手段】
【０００７】
上記の目的を達成するための本発明のスラッジ貯蔵タンクは、中空円筒形状をなして長手方向が水平方向に沿って配置されてスラッジを含む液体を貯留可能なタンク本体と、前記タンク本体の上部からスラッジを含む液体を供給可能な供給部と、前記タンク本体の上部からスラッジを含む液体を吸引排出可能な排出部と、前記タンク本体内で底部方向に向かってガスを噴出可能なガス噴出装置と、前記ガス噴出装置から噴出されたガスの流れを規制することでスラッジを含む液体の上昇流を生成するガイド部材と、を備えることを特徴とするものである。
【０００８】
従って、ガス噴出装置によりタンク本体内で底部方向に向かってガスが噴出されると、このガスは、ガイド部材によりその流れが規制されることで、スラッジを含む液体の上昇流が生成されることとなり、タンク本体の内部でスラッジを流動させることが可能となり、内部のスラッジの流動性を確保してこのスラッジの沈降による固着を抑制することができる。
【０００９】
本発明のスラッジ貯蔵タンクでは、前記ガイド部材は、前記ガス噴出装置によるガス噴出口の上方に配置されることを特徴としている。
【００１０】
従って、ガス噴出装置によりタンク本体内で底部方向に向かってガスが噴出されると、このガスは、その上方にあるガイド部材によりその流れが規制され、タンク本体の内面に沿って流れることで、スラッジを含む液体の上昇旋回流が生成されることとなり、タンク本体の内部でスラッジを流動させることが可能となる。
【００１１】
本発明のスラッジ貯蔵タンクでは、前記ガイド部材は、前記タンク本体の底部から所定隙間をもって略水平方向に沿って配置され、前記ガイド部材と前記タンク本体の底部との間に前記ガス噴出口が配置され、前記ガイド部材における前記タンク本体の周方向の端部側に流通部が設けられることを特徴としている。
【００１２】
従って、ガス噴出装置によりタンク本体内で底部方向に向かってガスが噴出されると、このガスは、その上方にあるガイド部材によりその流れが規制され、一方の流通部から上昇することから、他方の流通部から液体が吸入されてスラッジを含む液体の旋回流が生成されることとなり、タンク本体の内部でスラッジを流動させることが可能となる。
【００１３】
本発明のスラッジ貯蔵タンクでは、前記ガイド部材は、前記タンク本体の底部に沿った湾曲形状をなすことを特徴としている。
【００１４】
従って、ガイド部材がタンク本体の底部に沿った湾曲形状をなすことで、スラッジを含む液体の旋回流を容易に生成することができる。
【００１５】
本発明のスラッジ貯蔵タンクでは、前記ガイド部材は、前記タンク本体の長手方向に沿うと共に前記タンク本体の底部から鉛直方向の上方に沿って延出され、前記ガイド部材の両側に前記ガス噴出装置におけるガス噴出口が配置されることを特徴としている。
【００１６】
従って、ガス噴出装置によりタンク本体内で底部方向に向かってガスが噴出されると、このガスは、鉛直方向に沿ったガイド部材によりその流れが規制され、このガイド部材に沿って流れることで、スラッジを含む液体の上昇流が生成されることとなり、タンク本体の内部でスラッジを流動させることが可能となる。
【００１７】
本発明のスラッジ貯蔵タンクでは、前記ガイド部材は、前記タンク本体の底部に略水平方向に沿って固定され、前記ガイド部材の上方に前記ガス噴出装置におけるガス噴出口が配置されることを特徴としている。
【００１８】
従って、ガス噴出装置によりタンク本体内で底部方向に向かってガスが噴出されると、このガスは、その下方にあるガイド部材によりその流れが規制され、タンク本体の内面に沿って流れることで、スラッジを含む液体の上昇旋回流が生成されることとなり、タンク本体の内部でスラッジを流動させることが可能となる。
【発明の効果】
【００１９】
本発明のスラッジ貯蔵タンクによれば、中空円筒形状をなして長手方向が水平方向に沿って配置されてスラッジを含む液体を貯留可能なタンク本体に、底部方向に向かってガスを噴出可能なガス噴出装置を設けると共に、噴出されたガスの流れを規制することでスラッジを含む液体の上昇流を生成するガイド部材とを設けるので、タンク本体の内部でスラッジを流動させることが可能となり、内部のスラッジの流動性を確保してこのスラッジの沈降による固着を抑制することができる。
【図面の簡単な説明】
【００２０】
【図１】図１は、本発明の実施例１に係るスラッジ貯蔵タンクの断面（図２のＩ−Ｉ断面）図である。
【図２】図２は、実施例１のスラッジ貯蔵タンクの内部を表す概略図である。
【図３】図３は、実施例１の変形例を表すスラッジ貯蔵タンクの断面図である。
【図４】図４は、実施例１の変形例を表すスラッジ貯蔵タンクの断面図である。
【図５】図５は、本発明の実施例２に係るスラッジ貯蔵タンクの断面図である。
【図６】図６は、本発明の実施例３に係るスラッジ貯蔵タンクの断面図である。
【発明を実施するための形態】
【００２１】
以下に添付図面を参照して、本発明のスラッジ貯蔵タンクの好適な実施例を詳細に説明する。なお、この実施例により本発明が限定されるものではなく、また、実施例が複数ある場合には、各実施例を組み合わせて構成するものも含むものである。
【実施例１】
【００２２】
図１は、本発明の実施例１に係るスラッジ貯蔵タンクの断面（図２のＩ−Ｉ断面）図、図２は、実施例１のスラッジ貯蔵タンクの内部を表す概略図、図３及び図４は、実施例１の変形例を表すスラッジ貯蔵タンクの断面図である。
【００２３】
実施例１において、図１及び図２に示すように、スラッジ貯蔵タンク１０は、タンク本体１１と、供給部１２と、排出部１３と、ガス噴出装置１４と、ガイド部材１５とを有している。
【００２４】
タンク本体１１は、中空円筒形状をなして長手方向が水平方向に沿って、つまり、横倒しされて配置されている。このタンク本体１１は、長手方向における一方の上部にスラッジを含む液体Ｓを供給可能な供給部１２が設けられており、内部にこのスラッジを含む液体Ｓを貯留可能となっている。また、タンク本体１１は、長手方向における他方の上部にスラッジを含む液体Ｓを吸引排出可能な排出部１３が設けられている。この排出部１３は、筒形状をなし、下部がタンク本体１１の底部まで延出され、上部がタンク本体１１の外部まで延出され、図示しない吸引装置が連結されている。
【００２５】
また、ガス噴出装置１４は、タンク本体１１の底部方向に向かってガス（空気）を噴出可能である。即ち、ガス供給配管２１は、タンク本体１１における長手方向の一端部からこのタンク本体１１の内部に侵入し、タンク本体１１における長手方向の他端部まで延出されることで、タンク本体１１の底部から所定距離だけ離間した位置で、この底部に沿って配置されている。このガス供給配管２１は、基端部に図示しない空気供給装置が連結され、タンク本体１１の内部に位置する領域の下面に多数の噴出口２２が形成されている。この場合、ガス供給配管２１は、タンク本体１１の長手方向に沿って配置されるものの、タンク本体１１における水平方向の一方側（図１にて右側）へ所定量ずれて配置されている。
【００２６】
従って、ガス噴出装置１４は、空気供給装置によりガス供給配管２１内へ空気を供給すると、多数の噴出口２２から下方へ、つまり、タンク本体１１の底部に向かって空気を噴出することができる。
【００２７】
ガイド部材１５は、ガス噴出装置１４におけるガス供給配管２１の各噴出口２２から噴出された空気の流れを規制することで、スラッジを含む液体Ｓの上昇流を生成するものである。このガイド部材１５は、タンク本体１１の底部に沿って湾曲した板形状をなし、ガス噴出装置１４におけるガス供給配管２１の各噴出口２２の上方に配置されている。
【００２８】
この場合、ガイド部材１５は、長手方向の各端部がタンク本体１１における長手方向の端部に連結されている。また、ガイド部材１５は、タンク本体１１の底部から所定隙間をもって略水平方向（具体的にはタンク本体１１の底部に平行な方向）に沿って配置され、このガイド部材１５とタンク本体１１の底部との間にガス供給配管２１（噴出口２２）が配置されている。そして、ガイド部材１５におけるタンク本体１１の周方向の各端部側に流通部２３，２４が設けられている。
【００２９】
従って、ガス噴出装置１４を作動し、ガス供給配管２１の各噴出口２２からタンク本体１１の底部に向かって空気を噴出すると、この空気はバブル状となり、ガイド部材１５の下面によりその流れが規制されることで、タンク本体１１の内面に沿って流れ、ガス供給配管２１の配置位置がずれた側の流通部２３を通ってタンク本体１１の内部を上昇する。そのため、この空気の上昇流によりスラッジを含む液体Ｓの上昇流が生成される。
【００３０】
すると、ガイド部材１５とタンク本体１１の底部との間の空間部が負圧になることから、タンク本体１１の内部のスラッジを含む液体Ｓは、流通部２４から底部側に吸入されることで、タンク本体１１の内面に沿った流れが形成される。そのため、ガイド部材１５とタンク本体１１の底部との間の空間で、流通部２４から流通部２３側へのスラッジを含む液体Ｓの流れが形成されることとなり、タンク本体１１の内部で、スラッジを含む液体Ｓの旋回流（循環流）が生成されることとなり、タンク本体１１の内部でスラッジが流動する。
【００３１】
その結果、タンク本体１１の内部でスラッジを流動させることが可能となり、スラッジがタンク本体１１の底部に沈降しにくくなり、このスラッジの沈降による固着が抑制される。
【００３２】
このように実施例１のスラッジ貯蔵タンクにあっては、中空円筒形状をなして長手方向が水平方向に沿って配置されてスラッジを含む液体Ｓを貯留可能なタンク本体１１と、タンク本体１１の上部からスラッジを含む液体Ｓを供給可能な供給部１２と、タンク本体１１の上部からスラッジを含む液体Ｓを吸引排出可能な排出部１３と、タンク本体１１内で底部方向に向かってガスを噴出可能なガス噴出装置１４と、ガス噴出装置１４から噴出された空気の流れを規制することでスラッジを含む液体Ｓの上昇流を生成するガイド部材１５とを設けている。
【００３３】
従って、ガス噴出装置１４によりタンク本体１１内で底部方向に向かって空気が噴出されると、この空気は、ガイド部材１５によりその流れが規制されることで、スラッジを含む液体Ｓの上昇流が生成されることとなり、タンク本体１１の内部でスラッジを流動させることが可能となり、内部のスラッジの流動性を確保してこのスラッジの沈降による固着を抑制することができる。
【００３４】
また、実施例１のスラッジ貯蔵タンクでは、ガイド部材１５をガス噴出装置１４による噴出口２２の上方に配置している。従って、噴出口２２からタンク本体１１内で底部方向に向かって空気が噴出されると、この空気は、その上方にあるガイド部材１５によりその流れが規制され、タンク本体１１の内面に沿って流れることで、スラッジを含む液体の上昇旋回流が生成されることとなり、タンク本体１１の内部でスラッジを流動させることが可能となる。
【００３５】
また、実施例１のスラッジ貯蔵タンクでは、ガイド部材１５をタンク本体１１の底部から所定隙間をもって略水平方向に沿って配置し、ガイド部材１５とタンク本体１１の底部との間に噴出口２２を配置し、ガイド部材１５におけるタンク本体１１の周方向の端部側に流通部２３，２４を設けている。従って、噴出口２２から噴出された空気は、その上方にあるガイド部材１５によりその流れが規制され、一方の流通部２３から上昇することから、他方の流通部２４からスラッジを含む液体Ｓが吸入されて旋回流が生成されることとなり、タンク本体１１の内部でスラッジを流動させることが可能となる。
【００３６】
また、実施例１のスラッジ貯蔵タンクでは、ガイド部材１５をタンク本体１１の底部に沿った湾曲形状としている。従って、スラッジを含む液体Ｓの旋回流を容易に生成することができる。
【００３７】
なお、この実施例１にて、ガイド部材１５をタンク本体１１の底部に沿って湾曲した板形状としたが、この形状に限定されるものではない。
【００３８】
例えば、図３に示すように、ガイド部材１６は、ガス噴出装置１４におけるガス供給配管２１の各噴出口２２から噴出された空気の流れを規制することで、スラッジを含む液体Ｓの上昇流を生成するものである。このガイド部材１６は、ガス噴出装置１４におけるガス供給配管２１の各噴出口２２の上方に配置されている。このガイド部材１６は、タンク本体１１の底部に沿って下方に湾曲した下部湾曲面１６ａと、略水平方向に沿った上部水平面１６ｂとから構成されている。
【００３９】
また、図４に示すように、ガイド部材１７は、ガス噴出装置１４におけるガス供給配管２１の各噴出口２２から噴出された空気の流れを規制することで、スラッジを含む液体Ｓの上昇流を生成するものである。このガイド部材１７は、ガス噴出装置１４におけるガス供給配管２１の各噴出口２２の上方に配置されている。このガイド部材１７は、タンク本体１１の底部に沿った下方に湾曲した下部湾曲面１７ａと、上方に突出するように湾曲した上部湾曲面１７ｂとから構成されている。
【００４０】
ガイド部材１６，１７をそれぞれの形状とすることで、ガイド部材１５と同様に、ガス供給配管２１の各噴出口２２から噴射された空気により、タンク本体１１の内部でスラッジを含む液体Ｓの旋回流が生成されることとなり、スラッジがタンク本体１１の底部に沈降しにくくなり、このスラッジの沈降による固着が抑制される。
【００４１】
また、ガイド部材１６が上部水平面１６ｂを有していたり、ガイド部材１７が上部湾曲面１７ｂを有していたりすることにより、ガイド部材１６，１７の上部へのスラッジの堆積が抑制される。
【実施例２】
【００４２】
図５は、本発明の実施例２に係るスラッジ貯蔵タンクの断面図である。なお、上述した実施例と同様の機能を有する部材には、同一の符号を付して詳細な説明は省略する。
【００４３】
実施例２において、図５に示すように、スラッジ貯蔵タンク３０は、タンク本体１１と、供給部１２（図２参照）と、排出部１３（図２参照）と、ガス噴出装置３１と、ガイド部材３２とを有している。
【００４４】
ガス噴出装置３１は、タンク本体１１の底部方向に向かってガス（空気）を噴出可能である。即ち、２つのガス供給配管４１，４２は、タンク本体１１における長手方向の一端部からこのタンク本体１１の内部に侵入し、タンク本体１１における長手方向の他端部まで延出されることで、タンク本体１１の底部から所定距離だけ離間した位置で、この底部に沿って配置されている。この各ガス供給配管４１，４２は、基端部に図示しない空気供給装置が連結され、タンク本体１１の内部に位置する領域の下面に多数の噴出口４３，４４が形成されている。この場合、各ガス供給配管４１，４２は、タンク本体１１の長手方向に沿って略平行をなして配置されている。
【００４５】
ガイド部材３２は、ガス噴出装置３１におけるガス供給配管４１，４２の各噴出口４３，４４から噴出された空気の流れを規制することで、スラッジを含む液体Ｓの上昇流を生成するものである。このガイド部材３２は、鉛直方向に沿った平板形状をなし、タンク本体１１の長手方向に沿うと共に、タンク本体１１の底部から鉛直方向の上方に沿って延出している。そして、このガイド部材３２は、ガス噴出装置３１における２つのガス供給配管４１，４２の間に配置されることとなる。即ち、このガイド部材３２は、その両側にガス供給配管４１，４２の各噴出口４３が配置されることとなる。
【００４６】
従って、ガス噴出装置３１を作動し、各ガス供給配管４１，４２の各噴出口４３，４４からタンク本体１１の底部に向かって空気を噴出すると、この空気はバブル状となり、ガイド部材３２の各側面によりその流れが規制されることで、このガイド部材３２の各側面に沿って流れ、タンク本体１１の内部を上昇する。そのため、この空気の上昇流によりスラッジを含む液体Ｓの上昇流が生成される。
【００４７】
すると、タンク本体１１の底部の空間部が負圧になることから、タンク本体１１の内部のスラッジを含む液体Ｓは、タンク本体１１の内面に沿って底部側に吸入されることで、タンク本体１１の内面に沿った流れが形成される。そのため、ガイド部材３２により２つの仕切られたタンク本体１１における２つの空間で、互いに逆方向となるスラッジを含む液体Ｓの旋回流（循環流）が生成されることとなり、タンク本体１１の内部でスラッジが流動する。
【００４８】
その結果、タンク本体１１の内部でスラッジを流動させることが可能となり、スラッジがタンク本体１１の底部に沈降しにくくなり、このスラッジの沈降による固着が抑制される。
【００４９】
このように実施例２のスラッジ貯蔵タンクにあっては、タンク本体１１内で底部方向に向かってガスを噴出可能なガス噴出装置３１と、ガス噴出装置３１から噴出された空気の流れを規制することでスラッジを含む液体Ｓの上昇流を生成するガイド部材３２とを設けている。
【００５０】
従って、ガス噴出装置３１によりタンク本体１１内で底部方向に向かって空気が噴出されると、この空気は、ガイド部材３２によりその流れが規制されることで、スラッジを含む液体Ｓの上昇流が生成されることとなり、タンク本体１１の内部でスラッジを流動させることが可能となり、内部のスラッジの流動性を確保してこのスラッジの沈降による固着を抑制することができる。
【００５１】
また、実施例２のスラッジ貯蔵タンクでは、ガイド部材３２をタンク本体１１の長手方向に沿うと共にタンク本体１１の底部から鉛直方向の上方に沿って延出し、このガイド部材３２の両側にガス噴出装置３１における噴出口４３，４４を配置している。従って、ガス噴出装置３１によりタンク本体１１内で底部方向に向かって空気が噴出されると、この空気は、鉛直方向に沿ったガイド部材３２によりその流れが規制され、このガイド部材３２に沿って上方に流れることで、スラッジを含む液体Ｓの上昇流が生成されることとなり、タンク本体１１の内部でスラッジを流動させることが可能となる。
【実施例３】
【００５２】
図６は、本発明の実施例３に係るスラッジ貯蔵タンクの断面図である。なお、上述した実施例と同様の機能を有する部材には、同一の符号を付して詳細な説明は省略する。
【００５３】
実施例３において、図６に示すように、スラッジ貯蔵タンク５０は、タンク本体１１と、供給部１２（図２参照）と、排出部１３（図２参照）と、ガス噴出装置５１と、ガイド部材５２とを有している。
【００５４】
ガス噴出装置５１は、タンク本体１１の底部方向に向かってガス（空気）を噴出可能である。即ち、ガス供給配管６１は、タンク本体１１における長手方向の一端部からこのタンク本体１１の内部に侵入し、タンク本体１１における長手方向の他端部まで延出されることで、タンク本体１１の底部から所定距離だけ離間した位置で、この底部に沿って配置されている。この各ガス供給配管６１は、基端部に図示しない空気供給装置が連結され、タンク本体１１の内部に位置する領域の下面に多数の噴出口６２が形成されている。この場合、ガス供給配管６１は、タンク本体１１の長手方向に沿って配置されるものの、タンク本体１１における水平方向の一方側（図６にて右側）へ所定量ずれて配置されている。
【００５５】
ガイド部材５２は、ガス噴出装置５１におけるガス供給配管６１の各噴出口６２から噴出された空気の流れを規制することで、スラッジを含む液体Ｓの上昇流を生成するものである。このガイド部材５２は、水平方向に沿った平板形状をなし、タンク本体１１の底部に略水平方向に沿って配置され、このタンク本体１１の底部に固定されている。即ち、ガイド部材５２は、その上方にガス噴出装置５１における各噴出口６２が配置されている。
【００５６】
従って、ガス噴出装置５１を作動し、ガス供給配管６１の各噴出口６２からタンク本体１１の底部に向かって空気を噴出すると、この空気はバブル状となり、ガイド部材５２の上面によりその流れが規制されることで、ガス供給配管６１の配置位置がずれた側のタンク本体１１の内面に沿ってこのタンク本体１１の内部を上昇する。そのため、この空気の上昇流によりスラッジを含む液体Ｓの上昇流が生成される。
【００５７】
すると、ガイド部材５２とタンク本体１１の底部との間の空間部が負圧になることから、タンク本体１１の内部のスラッジを含む液体Ｓは、反対側のタンク本体１１の内面から底部側に吸入されることで、タンク本体１１の内面に沿った流れが形成される。そのため、タンク本体１１の内部で、スラッジを含む液体Ｓの旋回流（循環流）が生成されることとなり、タンク本体１１の内部でスラッジが流動する。
【００５８】
その結果、タンク本体１１の内部でスラッジを流動させることが可能となり、スラッジがタンク本体１１の底部に沈降しにくくなり、このスラッジの沈降による固着が抑制される。
【００５９】
このように実施例３のスラッジ貯蔵タンクにあっては、タンク本体１１内で底部方向に向かってガスを噴出可能なガス噴出装置５１と、ガス噴出装置３１から噴出された空気の流れを規制することでスラッジを含む液体Ｓの上昇流を生成するガイド部材５２とを設けている。
【００６０】
従って、ガス噴出装置５１によりタンク本体１１内で底部方向に向かって空気が噴出されると、この空気は、ガイド部材５２によりその流れが規制されることで、スラッジを含む液体Ｓの上昇流が生成されることとなり、タンク本体１１の内部でスラッジを流動させることが可能となり、内部のスラッジの流動性を確保してこのスラッジの沈降による固着を抑制することができる。
【００６１】
また、実施例３のスラッジ貯蔵タンクでは、ガイド部材５２をタンク本体１１の底部に略水平方向に沿って固定し、ガイド部材５２の上方にガス噴出装置５１における噴出口６２を配置している。従って、ガス噴出装置５１によりタンク本体１１内で底部方向に向かって空気が噴出されると、この空気は、水平方向に沿ったガイド部材５２によりその流れが規制されて上方に流れることで、スラッジを含む液体Ｓの上昇流が生成されることとなり、タンク本体１１の内部でスラッジを流動させることが可能となる。
【００６２】
また、実施例３のスラッジ貯蔵タンクでは、ガイド部材５２をタンク本体１１の底部に固定したことで、タンク本体１１の底部にスラッジが堆積することはなく、タンク本体１１の損傷を防止することができる。
【００６３】
なお、上述した各実施例では、ガス噴出装置１４，３１，５１におけるガス供給配管２１，４１，４２，６１を１つまたは２つ配置したが、その数に限定されるものではない。また、ガイド部材１５，１６，１７，３２，５２を１つ配置したが、その数に限定されるものではなく、複数設けてもよいものである。
【符号の説明】
【００６４】
１０，３０，５０  スラッジ貯蔵タンク
１１  タンク本体
１２  供給部
１３  排出部
１４，３１，５１  ガス噴出装置
１５，１６，１７，３２，５２  ガイド部材
２１，４１，４２，６１  ガス供給配管
２２，４３，４４，６２  噴出口
２３，２４  流通部
【図１】
0005972585.tif 000002
【図２】
0005972585.tif 000003
【図３】
0005972585.tif 000004
【図４】
0005972585.tif 000005
【図５】
0005972585.tif 000006
【図６】
0005972585.tif 000007